(57)【要約】【課題】  引き戸や扉に使用される把手であって、興趣に富むものを提供する。【解決手段】  この把手１は、透明性を有するパイプ状に形成された本体部１０と、この本体部１０の内部に挿入され、本体部１０と同様に透明性を有するパイプ状に形成されてその内部に装飾品Ｓが入れられた内挿部材２０と、本体部１０及び２０の端部に取り付けられる接続部材３０とを有する。そして本体部１０及び内挿部材２０の両端部は開口され、この開口部分に接続部材３０が取り付けられることによりこの開口部分が接続部材３０によって被覆され、この接続部材３０が取り外されることによりこの開口部分が露出する。【選択図】      図２
0003103718.tif 000002
【実用新案登録請求の範囲】
【請求項１】
引き戸や扉に取り付けられる把手であって、
透明性を有するとともに中空の棒状に形成された本体部と、前記引き戸又は扉と前記本体部とを接続する接続部とを備え、
前記本体部は、少なくとも一端が開口されるとともにこの開口部分が開閉可能な構成となっている
ことを特徴とする把手。
【請求項２】
請求項１記載の把手において、
前記接続部は、前記本体部の両端に対し着脱可能な状態で取り付けられるとともに、この取付状態において前記本体部の開口部分を被覆する構成とされ、
この接続部を前記本体部に対し着脱させることにより前記接続部材の開口部分を開閉する構成とされた
ことを特徴とする把手。
【請求項３】
請求項１又は２記載の把手において、
透明性を有する中空の棒状に形成され、前記本体部の内部に収納される内挿部材を備え、
当該内挿部材は、前記本体部の開口部分から前記本体部の内部に挿入したり、前記本体部の内部に収納された状態において前記開口部分から前記本体部の外部に取り出したりすることを可能にする形状に形成された
ことを特徴とする把手。
【考案の詳細な説明】
【技術分野】
【０００１】
本考案は、引き戸や扉に取り付けられる把手に関するものである。
【背景技術】
【０００２】
従来、引き戸や扉に取り付けられている把手としては、棒状に形成された本体部と、この本体部の両端に各々取り付けられ、各々前記引き戸や扉と前記本体部とを接続する接続部とを備えたものが存在する（例えば特許文献１）。
【特許文献１】特開２００２−１９４９２９号公報
【考案の開示】
【考案が解決しようとする課題】
【０００３】
前記のような把手は、その機能性のみが重要視されており、これらの把手を前記引き戸や扉に取り付けても安らぎや楽しさを与えることが出来なかった。
【０００４】
そこで本考案は、興趣に富む把手を提供することにより前記の課題を解決することを目的とする。
【課題を解決するための手段】
【０００５】
請求項１記載の考案は、引き戸や扉に取り付けられる把手であって、透明性を有するとともに中空の棒状に形成された本体部と、前記引き戸又は扉と前記本体部とを接続する接続部とを備え、前記本体部は、少なくとも一端が開口されるとともにこの開口部分が開閉可能な構成となっていることを特徴とする。
【０００６】
請求項２記載の考案は、請求項１記載の把手において、前記接続部は、前記本体部の両端に対し着脱可能な状態で取り付けられるとともに、この取付状態において前記本体部の開口部分を被覆する構成とされ、この接続部を前記本体部に対し着脱させることにより前記接続部の開口部分を開閉する構成とされたことを特徴とする。
【０００７】
請求項３記載の考案は、請求項１又は２記載の把手において、透明性を有する中空の棒状に形成され、前記本体部の内部に収納される内挿部材を備え、当該内挿部材は、前記本体部の開口部分から前記本体部の内部に挿入したり、前記本体部の内部に収納された状態において前記開口部分から前記本体部の外部に取り出したりすることを可能にする形状に形成されたことを特徴とする。
【考案の効果】
【０００８】
請求項１にかかる考案によれば、前記本体部は透明性を有する中空の棒状に形成されているため、この本体部の内部に入れたものを本体部の外部から視認させることが可能となる。したがって、前記本体部の内部に装飾品等のような趣向のこらしたものを入れ、この装飾品等を前記本体部の外部から視認させることにより、デザイン性に優れた興趣に富む把手にすることが出来る。
【０００９】
さらに、前記本体部は、少なくとも一端が開口され、この開口部分が開閉可能とされているため、前記本体部の内部に入れるものを入れ替えることが可能となる。したがって、本体部内部に入れるものを適宜替えることで、この把手の模様やデザインを変えることが出来、より興趣に富む把手にすることが可能となる。
【００１０】
前記本体部の開口部分の開閉は、蓋などの部材を用いて行ってもよいが、請求項２にかかる考案のように、前記接続部を前記本体部の端部に対し着脱可能な状態で取り付けられるとともに、この接続部を前記本体部に対し着脱させることにより前記接続部の開口部分を開閉する構成とすると、特別な部材を用意することなく前記開口部分の開閉を行うことが出来るため、前記把手の構成を簡素化することが出来る。
【００１１】
請求項３にかかる考案によれば、前記内挿部材は透明性を有する中空の棒状に形成されているため、この内挿部材の内部に入れたものは、前記本体部を介して前記本体部の外部から視認することが可能となる。すなわち、この内挿部材の内部に装飾品等を入れ、この装飾品等を前記本体部の外部から視認させることが可能となる。さらに、この内挿部材は、前記本体部に対し収納したり取り出したりすることが可能となっているため、前記装飾品等を替えるとき、前記内挿部材を取り替えるだけで行うことが可能となる。したがって、簡単な作業で前記把手の模様やデザインを変更することが可能となる。
【考案を実施するための最良の形態】
【００１２】
本考案の実施形態について、図１〜図３を用いて説明する。
【００１３】
図１は、把手１の斜視図であり、図２は、把手１の分解斜視図である。
【００１４】
この把手１は、棒状に形成された本体部１０と、この本体部１０の内部に挿入された内挿部材２０と、この本体部１０及び内挿部材２０の両端部に取り付けられる接続部材３０、３０（接続部）とを備えており、引き戸Ｄに対し固定されている。すなわち、接続部材３０、３０は、本体部１０及び内挿部材２０と引き戸Ｄとを接続している。
【００１５】
本体部１０は、無色透明のプラスチックを用い、パイプ状、すなわち中空の棒状に形成され、その両端１１、１２は開口されている。
【００１６】
内挿部材２０も、本体部１０と同様、無色透明のプラスチックを用いて中空の棒状に形成されており、その両端２１、２２は開口されている。この内挿部材２０の外周２３の径は、本体部１０の内周１３の径よりも小さい。すなわち、この内挿部材２０は、本体部１０の端部１１、１２から本体部１０の内部に挿入したり、この本体部１０の内部に挿入された状態においてこの端部１１、１２から本体部１０の外部に取り出したりすることが可能となっている。また、この内挿部材２０が本体部１０内に挿入された状態においては、内挿部材２０の外周２３と本体部１０の内周１３との間に間隙Ｋ１が生ずる。
【００１７】
さらに、内挿部材２０内の空間Ｋ２には、造花等に代表される装飾品Ｓが入れられている。
【００１８】
接続部材３０は金属製の素材で形成されており、略円柱状に形成され、本体部１０の端部１１、１２、及び、内挿部材２０の端部２１、２２に対し嵌合する嵌合部３１と、嵌合部３１の側面から延設され、略四角柱の形状を有する脚部３２とを備えている。
【００１９】
嵌合部３１は、図３に示すとおり、本体部１０の端部１１、１２のうち一端と嵌合する第一嵌合穴３３と、第一嵌合穴３３の底部に形成されて内挿部材２０の端部２１、２２のうち一端と嵌合する第二嵌合穴３４と、第二嵌合穴３４の底面から突出し、内挿部材２０内の空間Ｋ２に挿入されて内挿部材２０の内周２４（図２参照）と嵌合する嵌合突起３５とを備えている。また、脚部３２には、図示しないがその底面に、引き戸Ｄに固定するためのねじ部材を取り付けるためのねじ孔が形成されている。
【００２０】
この把手１の組み立ては、まず、空間Ｋ２内に装飾品Ｓを入れられた内挿部材２０を本体部１０内に挿入する。次に、本体部１０の一端１１及び内挿部材２０の一端２１に接続部材３０を嵌め込むとともに、本体部１０の他端１２及び内挿部材２０の他端２２に他の接続部材３０を嵌め込むことにより行われる。
【００２１】
かかる状態においては、接続部材３０の第一嵌合穴３３と、本体部１０の端部１１、１２とが嵌合し、第二嵌合穴３４と内挿部材２０の端部２１、２２とが嵌合し、嵌合突起３５と内挿部材２０の内周２４とが嵌合した状態となっている。さらに、内挿部材２０の外周２３と本体部１０の内周１３との間には間隙Ｋ１が形成されている。
【００２２】
その後、脚部３２に底面に形成されたねじ孔（図示せず）にねじ部材を挿入することにより、把手１を引き戸Ｄに対し固定する。
【００２３】
この把手１において、内挿部材２０の取り替えは、まず、接続部材３０、３０を本体部１０及び内挿部材２０から取り外し、次に内挿部材２０を本体部１０の内部から取り出し、その後、内挿部材２０を交換した状態で前述の組み立て作業を行うことにより行う。
【００２４】
以上の構成によれば、本体部１０及び内挿部材２０は透明性を有する中空の棒状に形成され、内挿部材２０の内部に装飾品Ｓが入れられているため、この装飾品Ｓを本体部１０の外部から視認させることが出来る。したがって、デザイン性に優れた興趣に富む把手１にすることが出来る。
【００２５】
さらに、本体部１０の両端１１、１２及び内挿部材の両端２１、２２は開口しており、この内挿部材２０は、本体部１０の端部１１、１２から本体部１０の内部に挿入したり、この本体部１０の内部に挿入された状態においてこの端部１１、１２から本体部１０の外部に取り出したりすることが可能となっているため、内挿部材２０を取り替えることで本体部１０内に入れる装飾品Ｓを変更することが出来る。したがって、適宜把手１のデザインや模様を変更することができ、より興趣に富む把手１にすることが可能となる。
【００２６】
またさらに、前記装飾品Ｓの変更は、内挿部材２０を取り替えるだけで行うことが可能となる。したがって、簡単な作業で把手１の模様やデザインを変更することが可能となる。
【００２７】
また、接続部材３０を着脱させるだけで本体部１０の端部１１、１２、及び、内挿部材２０の端部２１、２２を開閉することが可能となっているため、特別な部材を用意することなくこれらの端部１１、１２、２１、２２を開閉することが可能となる。すなわち、把手１の部品点数を増やすことなく端部１１、１２、２１、２２を開閉することが可能となる。したがって、把手１の構成を簡素化しつつも端部１１、１２、２１、２２を開閉することが可能となり、コストダウン等を図ることが可能となる。
【００２８】
その他実施形態
（一）  本体部１０の端部１１、１２、及び、内挿部材２０の端部２１，２２の開閉は、必ずしも接続部材３０で行う必要はなく、別途蓋などを用いて行ってもよい。もっとも、部品点数を低減し、把手１自体のコストダウンや、把手１の取り付ける際の手間の軽減を図る上では、前記端部１１、１２、２１、２２の開閉は接続部材３０で行うほうが好ましい。
【００２９】
（二）  本体部１０及び内挿部材２０は中空状に形成されているものであれば必ずしもパイプ状、すなわち円形の断面に形成されている必要はない。例えば、四角形や三角形の断面を有するものにしてもよいし、その他、任意の多角形の断面を有するものにしてもよい。
【００３０】
（三）  接続部材３０は必ずしも本体部１０及び内挿部材２０の両端部に取り付けられる必要はなく、少なくとも一方に取り付けてあればよい。もっとも、把手１の構成としてかかる構成を採った場合、接続部材３０が取り付けられない方の端部は閉口されている。
【００３１】
（四）  内挿部材２０内の空間Ｋ２に入れられる装飾品Ｓは、趣向をこらしたものであれば必ずしも花等に限定される限定されない。例えば色紙、オブジェ等を入れることが考えられる。さらに、装飾品Ｓとしては、固体に限定されるものではなく、例えば着色された液体や気体等を入れることも可能である。
【００３２】
（五）  本体部１０は、透明性を有するものであれば、必ずしも無色透明にする必要はなく、様々な色に着色してより興趣ある把手１にしてもよい。また、内挿部材２０も本体部１０と同様、必ずしも無色透明にする必要はなく、様々な色に着色してもよい。
【００３３】
（六）  本体部１０の内周１３と内挿部材２０の外周２３との間に形成された間隙Ｋ１にも装飾品Ｓ等を入れ、より興趣ある把手１にしてもよい。
【００３４】
（七）  内挿部材２０は、必ずしも透明性を有するものにする必要はなく、不透明なものにし、本体部１０の内周１３と内挿部材２０の外周２３との間に形成された間隙Ｋ１に装飾品Ｓを入れる構成にしてもよい。この場合、シート状の装飾品を内挿部材２０に巻きつけておく等により、内挿部材２０を装飾品の担持体として利用することが出来る。
【００３５】
（八）  内挿部材２０は、必ずしも必要とするものではなく、本体部１０の内部に直接的に装飾品Ｓを入れる構成にしてもよい。もっとも、装飾品Ｓを交換する作業の軽減化を図る上では、内挿部材２０内に装飾品Ｓを予め入れておき、その内挿部材２０を交換する構成にするほうが、より好ましい。
【００３６】
（九）  装飾品Ｓの取り替えは、前記実施形態のように内挿部材２０自体を取り替えることによって行ってもよいが、空間Ｋ２内に入れられている装飾品Ｓを内挿部材２０の端部２１、２２から取り出し、その後、別の装飾品Ｓを端部２１、２２から空間Ｋ２内に入れることによって行ってもよい。
【図面の簡単な説明】
【００３７】
【図１】本考案の一実施形態にかかる把手の斜視図である。
【図２】本考案の一実施形態にかかる把手の分解斜視図である。
【図３】本考案の一実施形態にかかる接続部材の斜視図である。
【符号の説明】
【００３８】
１    把手
１０  本体部
１１、１２  端部
２０  内挿部材
３０  接続部材（接続部）
【図１】
0003103718.tif 000003
【図２】
0003103718.tif 000004
【図３】
0003103718.tif 000005